(57)【特許請求の範囲】
【請求項１】
告知放送信号を送信する送信装置と、当該告知放送信号を受信して告知放送を出力する受信装置とを備える告知放送システムであって、
前記送信装置は、
前記受信装置を区分するグループを一意に識別するためのグループアドレスを前記告知放送信号に含める信号生成手段と、
前記信号生成手段により前記グループアドレスが含められた告知放送信号を送信する送信手段と、を備え、
前記受信装置は、
前記告知放送信号を受信する受信手段と、
通常受信モード又はメンテナンスモードの設定の入力を受け付ける入力手段と、
前記告知放送信号による告知放送を出力する出力手段と、
前記入力手段により前記通常受信モードの設定の入力が受け付けられた場合には、前記受信手段により受信された前記告知放送信号に含まれている前記グループアドレスと自己に設定されたグループアドレスとが一致する場合に、当該受信した告知放送信号による告知放送を前記出力手段により出力させ、前記入力手段により前記メンテナンスモードの設定の入力が受け付けられた場合には、前記受信手段により受信された前記告知放送信号にメンテナンスモード用の前記グループアドレスが含まれている場合に、当該受信した告知放送信号による告知放送を前記出力手段により出力させる受信制御手段と、を備える、
告知放送システム。
【請求項２】
前記受信制御手段は、メンテナンスモード用の前記グループアドレスを含む前記告知放送信号による告知放送を前記出力手段が出力している場合において、自己に設定されたグループアドレスに一致する前記グループアドレスを含む前記告知放送信号を前記受信手段が受信した場合、当該自己に設定されたグループアドレスに一致するグループアドレスを含む前記告知放送信号による告知放送を、メンテナンスモード用の前記グループアドレスを含む前記告知放送信号による告知放送よりも優先して当該出力手段により出力させる、
請求項１に記載の告知放送システム。
【発明の詳細な説明】
【技術分野】
【０００１】
本発明は、告知放送システムに関する。
【背景技術】
【０００２】
センターから複数の住戸に対して各種の告知放送を行うための告知放送システムが普及している。この告知放送システムは、概略的に、センター側に配置された送信装置と、各住戸内に設置された受信装置とを、ＣＡＴＶ等の伝送線路を介して相互に接続して構成されている。そして、地域のイベント開催又はＦＭラジオ放送等の一般放送や、火災や地震が発生した時の緊急放送を行う際、送信装置は告知放送信号を伝送線路を介して送信し、この告知放送信号を受信装置が受信して、告知放送をスピーカにて音声出力する（例えば、特許文献１参照）。
【先行技術文献】
【特許文献】
【０００３】
【特許文献１】特開平９−８７５３号公報
【発明の概要】
【発明が解決しようとする課題】
【０００４】
ところで、上述の如き従来の告知放送システムでは、受信装置のメンテナンス時（例えば住戸への受信装置の設置時や、設置済みの受信装置の点検時等）に、当該受信装置が送信装置から伝送線路を介して告知放送を適切に受信可能か否かを確認する必要がある。そのためには、メンテナンス対象の受信装置に対して告知放送信号を送信装置から送信する必要があるが、通常の送信装置は一般放送や緊急放送等の告知放送信号の送信に用いる必要があるため、メンテナンスに用いることはできない。そこで従来は、メンテナンス専用の送信装置をセンター側に別途設置し、受信装置のメンテナンス時に当該メンテナンス専用の送信装置からメンテナンス用の周波数で告知放送信号を送信させていた。メンテナンス対象の受信装置については、メンテナンス時に受信周波数をメンテナンス用の周波数に合わせることで、メンテナンス専用の送信装置から送信されたメンテナンス用の告知放送信号を受信させていた。このように、従来は通常の送信装置に加えてメンテナンス専用の送信装置を別途設けていたため、告知放送システムの設置コストに更なる低減の余地があった。
【０００５】
本発明は、上記に鑑みてなされたものであって、告知放送システムの設置コストを増大させることなく、受信装置が送信装置から伝送線路を介して告知放送を適切に受信可能か否かを確認することができる、告知放送システムを提供することを目的とする。
【課題を解決するための手段】
【０００６】
上述した課題を解決し、目的を達成するために、請求項１に記載の告知放送システムは、告知放送信号を送信する送信装置と、当該告知放送信号を受信して告知放送を出力する受信装置とを備える告知放送システムであって、前記送信装置は、前記受信装置を区分するグループを一意に識別するためのグループアドレスを前記告知放送信号に含める信号生成手段と、前記信号生成手段により前記グループアドレスが含められた告知放送信号を送信する送信手段と、を備え、前記受信装置は、前記告知放送信号を受信する受信手段と、通常受信モード又はメンテナンスモードの設定の入力を受け付ける入力手段と、前記告知放送信号による告知放送を出力する出力手段と、前記入力手段により前記通常受信モードの設定の入力が受け付けられた場合には、前記受信手段により受信された前記告知放送信号に含まれている前記グループアドレスと自己に設定されたグループアドレスとが一致する場合に、当該受信した告知放送信号による告知放送を前記出力手段により出力させ、前記入力手段により前記メンテナンスモードの設定の入力が受け付けられた場合には、前記受信手段により受信された前記告知放送信号にメンテナンスモード用の前記グループアドレスが含まれている場合に、当該受信した告知放送信号による告知放送を前記出力手段により出力させる受信制御手段と、を備える。
【０００７】
また、請求項２に記載の告知放送システムは、請求項１に記載の告知放送システムにおいて、前記受信制御手段は、メンテナンスモード用の前記グループアドレスを含む前記告知放送信号による告知放送を前記出力手段が出力している場合において、自己に設定されたグループアドレスに一致する前記グループアドレスを含む前記告知放送信号を前記受信手段が受信した場合、当該自己に設定されたグループアドレスに一致するグループアドレスを含む前記告知放送信号による告知放送を、メンテナンスモード用の前記グループアドレスを含む前記告知放送信号による告知放送よりも優先して当該出力手段により出力させる。
【発明の効果】
【０００８】
このように、請求項１に記載の告知放送システムによれば、送信装置は、告知放送信号に含まれるグループアドレスを変更することで、通常の告知放送信号又はメンテナンス用の告知放送信号のいずれかを送信する。そして、受信制御手段は、入力手段により通常受信モードの設定の入力が受け付けられた場合には、受信手段により受信された告知放送信号に含まれているグループアドレスと自己に設定されたグループアドレスとが一致する場合に、当該受信した告知放送信号による告知放送を出力手段により出力させ、入力手段によりメンテナンスモードの設定の入力が受け付けられた場合には、受信手段により受信された告知放送信号にメンテナンスモード用のグループアドレスが含まれている場合に、当該受信した告知放送信号による告知放送を出力手段により出力させる。これにより、メンテナンス専用の送信装置を設けることなく、受信装置が送信装置から伝送線路を介して告知放送を適切に受信可能か否かを確認することができ、告知放送システムの設置コストの増大を防止することができる。
【０００９】
また、請求項２に記載の告知放送システムによれば、受信制御手段は、メンテナンスモード用のグループアドレスを含む告知放送信号による告知放送を出力手段が出力している場合において、自己に設定されたグループアドレスに一致するグループアドレスを含む告知放送信号を受信手段が受信した場合、当該自己に設定されたグループアドレスに一致するグループアドレスを含む告知放送信号による告知放送を、メンテナンスモード用のグループアドレスを含む告知放送信号による告知放送よりも優先して出力手段により出力させるので、受信装置のメンテナンス中であっても緊急放送や一般放送等を優先的に出力手段から出力させることができ、緊急放送や一般放送等の聞き逃しを防止することができる。
【図面の簡単な説明】
【００１０】
【図１】実施の形態に係る告知放送システムの構成図である。
【図２】信号生成部により生成された告知放送信号に含まれる情報（電文データ）の構成を例示した図である。
【図３】受信装置の正面図である。
【図４】告知放送処理のフローチャートである。
【図５】表示部に表示された種別選択画面を例示した図である。
【図６】受信処理のフローチャートである。
【発明を実施するための形態】
【００１１】
以下に添付図面を参照して、この発明に係る告知放送システムの実施の形態を詳細に説明する。最初に、告知放送システムの構成を説明し、次に、告知放送システムが実行する処理について説明し、最後に本実施の形態に対する変形例について説明する。ただし、この実施の形態によって本発明が限定されるものではない。
【００１２】
（構成）
最初に、この実施の形態に係る告知放送システムの構成を説明する。図１は、実施の形態に係る告知放送システムの構成図である。この図１に示すように、告知放送システム１は、役場等のセンターに設置されたセンターシステム１０、各住戸内に設置された受信装置２０（告知放送受信機）、及びセンターシステム１０から送信された信号を受信装置２０に送信する伝送系統４０を備えている。
【００１３】
このうち、センターシステム１０は告知放送に関する情報を管理する。また、伝送系統４０は、ヘッドエンド４１、及びヘッドエンド４１から各住戸の受信装置２０に至る伝送線路４２を備えている。ヘッドエンド４１は、センターシステム１０から送信された信号を受信し、この信号を各住戸側へ伝送するための信号に変換した上で伝送線路４２に送出する送信手段である。伝送線路４２は、告知放送信号を送信する送信線路であり、例えば、ＣＡＴＶ信号を伝送するＣＡＴＶ伝送線路（同軸ケーブルや光ファイバケーブル）を用いて構成される。この伝送線路４２には、アンプ４３、分配増幅器４４、分配器４６、及び保安器４８が配置されている。
【００１４】
アンプ４３は、伝送線路４２を流れる信号を増幅する増幅手段である。分配増幅器４４は、信号を増幅した上で、各住戸に向けて分配する分配増幅手段である。分配器４６は、分配増幅器４４にて増幅された信号を各住戸に向けて分配する分配手段である。保安器４８は、各住戸に設けられ、伝送線路４２に乗って受信装置２０に至る直流成分を制御する。なお、特記する構成を除き、センターシステム１０、伝送系統４０、及び受信装置２０は、公知の装置又は公知のシステムと同様に構成することができる。
【００１５】
（構成−センターシステム）
次に、センターシステム１０の構成について説明する。図１に示すように、センターシステム１０は、表示部１１、ＢＧＭ源１２、及び送信装置７０を備えている。
【００１６】
（構成−センターシステム−表示部、ＢＧＭ源）
表示部１１は、所要の情報を操作者に向けて表示する表示手段であり、例えば、モニタ及び表示灯（いずれも図示省略）を有する。ＢＧＭ源１２は、告知放送用の背景音楽の音源になる音源手段である。
【００１７】
（構成−センターシステム−送信装置）
送信装置７０は、受信装置２０に告知放送信号を送信するものである。図１に示すように、この送信装置７０は、操作部７１、マイク７２、送信部７３、制御部７５、及びデータ記録部７６を備えている。
【００１８】
操作部７１は、送信装置７０に対する各種の操作入力を受け付ける操作手段である。この操作部７１としては、例えば、各種のスイッチやタッチパネル等の公知の操作手段を用いて構成することができる。
【００１９】
マイク７２は、告知放送用の音声の入力を受け付ける音声入力手段である。送信部７３は、告知放送信号を送信する送信手段である。
【００２０】
制御部７５は、送信装置７０の各部を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するための内部メモリを備えて構成されるコンピュータである（後述する受信装置２０の制御部２９についても同じ）。この制御部７５は、機能概念的に、信号生成部７５ａを備えている。信号生成部７５ａは、受信装置２０を区分するグループを一意に識別するためのグループアドレスを告知放送信号に含める信号生成手段である。なお、この制御部７５によって実行される処理の詳細については後述する。
【００２１】
図２は、信号生成部７５ａにより生成された告知放送信号に含まれる情報（電文データ）の構成を例示した図である。この図２に示すように、告知放送信号は、例えば、アドレス／グループ、種別コード、スタートコード、告知データ、及びストップコードを含んで構成される。このうち、アドレス／グループは、告知放送信号の宛て先を特定するための情報であり、例えば宛て先となる受信装置２０を一意に識別する個別アドレスや、宛て先となる受信装置２０を区分するグループを一意に識別するためのグループアドレス等が含まれる。種別コードは、告知放送の種別（例えば一般放送、緊急放送、メンテナンス放送等）を特定するための情報である。スタートコードは、告知放送用の情報の先頭を示す区切り情報である。告知データは、データ記録部７６に記録されている告知放送用の情報、又はマイク７２を介して入力された音声に基づいて生成されたデータであり、具体的には音声データである。ストップコードは、告知放送用の情報の末尾を示す区切り情報である。なお、スタートコード又はストップコードの一方を省略してもよい。
【００２２】
図１に戻り、データ記録部７６は、告知放送用の情報を記録する記録手段であり、例えば、外部記憶装置としてのハードディスク（図示省略）を用いて構成されている。ただし、ハードディスクに代えてあるいはハードディスクと共に、磁気ディスクの如き磁気的記録媒体、又はＤＶＤやブルーレイディスクの如き光学的記録媒体を含む、その他の任意の記録媒体を用いることができる（後述する受信装置２０のデータ記録部３０についても同じ）。なお、前述の制御部７５に設けられたＲＡＭやＲＯＭをデータ記録部７６の一部または全部として適宜利用することができる。このデータ記録部７６は、複数種類の告知放送用の情報（すなわち告知データ。例えば、マイク７２を介して入力された音声情報や、予め記録されたメンテナンス用の音声情報等）や、告知放送信号の生成に用いる各種情報（例えばアドレス／グループ、種別コード、スタートコード、ストップコード等）を記録している。
【００２３】
（構成−受信装置）
次に、受信装置２０の電気的構成について説明する。図１に示したように、受信装置２０は、受信部２１、音声切換え部２２、音声記録部２３、音量調整部２４、アンプ２５、スピーカ２６、操作部２７、表示部２８、制御部２９、及びデータ記録部３０を備えている。
【００２４】
受信部２１は、送信装置７０から送信された告知放送信号を復調する告知放送復調手段であり、音声情報を音声切換え部２２に出力する。音声切換え部２２は、受信部２１から出力された音声情報を音声記録部２３又は音量調整部２４に出力し、あるいは、音声記録部２３から出力された音声情報を音量調整部２４に出力する音声切換え手段である。音声記録部２３は、音声情報を所定回数だけ録音する音声情報格納手段である。音量調整部２４は、音声切換え部２２から出力された音声情報の音量を調整してアンプ２５に出力する。この音声情報は、アンプ２５にて増幅された後、スピーカ２６から出力される。スピーカ２６は、告知放送信号による告知放送を出力する出力手段であり、アンプ２５にて増幅された音声情報を音声出力する。操作部２７は、当該受信装置２０に対する各種の操作入力を受け付ける入力手段である。表示部２８は、受信装置２０に関する各種情報を表示するための表示手段である。制御部２９は、受信装置２０の各部を制御する受信制御手段である。データ記録部３０は、受信装置２０の各種制御に必要な情報を記録する記録手段であり、例えば受信装置２０毎に設定される個別アドレスや、当該受信装置２０が属するグループを示すグループアドレス、メンテナンス時に用いられるメンテナンスモード用のグループアドレス等が記録されている。
【００２５】
図３は、受信装置２０の正面図である。受信装置２０は、方形箱状の筐体の内部に、上述した当該受信装置２０の各部のうち、操作部２７、及び表示部２８を除く各部を収容している。操作部２７としては、具体的には、ＦＭ放送を選択するためのＦＭ放送選択スイッチ２７ａ、録音された告知放送の再生を指示するための告知再生スイッチ２７ｂ、及び放送音量を調節するためのボリュームスイッチ２７ｃが設けられている。また、告知再生スイッチ２７ｂは、受信装置２０の受信モードを通常受信モード又はメンテナンスモードに設定するための入力も受け付ける。ここで「通常受信モード」とは、受信装置２０が通常の告知放送信号（例えば一般放送や緊急放送の告知放送信号）を受信するための受信モードであり、「メンテナンスモード」とは、受信装置２０がメンテナンス用の告知放送信号を受信するための受信モードである。例えば、受信装置２０の受信モードが通常受信モードである場合において、告知再生スイッチ２７ｂが所定時間（例えば５秒）以上長押しされた場合に、受信モードがメンテナンスモードに設定される。また、受信装置２０のモードがメンテナンスモードである場合において、告知再生スイッチ２７ｂが押された場合に、受信モードが通常受信モードに設定される。表示部２８としては、具体的には、電源ＯＮ時に点灯する電源表示灯２８ａ、緊急放送時に点灯する緊急放送表示灯２８ｂ、一般放送時に点灯し、受信装置２０のモードがメンテナンスモードである場合には点滅する一般放送表示灯２８ｃ、及び受信部２１によって受信された各種信号の受信状態を表示する状態表示部２８ｄ（例えば１桁の７セグメント表示及びドット表示を行う公知の７セグメントＬＥＤ（Ｌｉｇｈｔ  Ｅｍｉｔｔｉｎｇ  Ｄｉｏｄｅ））を備える。
【００２６】
（処理）
次に、このように構成された告知放送システム１が実行する処理について説明する。告知放送システム１が実行する処理は、送信装置７０が実行する告知放送処理と、受信装置２０が実行する受信処理とに大別される。以下、これらの告知放送処理と受信処理とについて説明する。
【００２７】
（処理−告知放送処理）
まず、告知放送処理について説明する。図４は、告知放送システム１が実行する告知放送処理のフローチャートである（以下の各処理の説明ではステップを「Ｓ」と略記する）。この告知放送処理は、例えば送信装置７０の電源が投入された場合に起動される。
【００２８】
図４に示すように、告知放送処理が起動されると、制御部７５は、告知放送の種別の選択を受け付けるための種別選択画面を表示部１１に表示させる（ＳＡ１）。図５は、表示部１１に表示された種別選択画面を例示した図である。この図５に示すように、制御部７５は、例えば告知放送の各種別（図５では「緊急放送」、「一般放送」、及び「メンテナンス放送」）を示すボタンを表示部１１に表示させる。
【００２９】
図４に戻り、ＳＡ１の処理の後、制御部７５は操作部７１を介して告知放送の種別が選択されるまで待機する（ＳＡ２、Ｎｏ）。そして、操作部７１を介して告知放送の種別が選択された場合（ＳＡ２、Ｙｅｓ）、制御部７５は、選択された告知放送の種別が緊急放送、一般放送、又はメンテナンス放送のいずれであるかを判定する（ＳＡ３）。
【００３０】
その結果、選択された告知放送の種別が一般放送である場合（ＳＡ３、一般）、制御部７５は、告知放送の宛て先とする範囲の入力を受け付けるための範囲選択画面を表示部１１に表示させる（ＳＡ４）。この範囲選択画面では、例えば、特定の受信装置２０の個別アドレス、特定のグループアドレス、あるいは、全ての受信装置２０を告知放送の宛て先として選択可能となっている。
【００３１】
次に、信号生成部７５ａは、操作部７１を介して告知放送の宛て先とする範囲が入力されると共に、告知放送を開始する旨の指示が入力されるまで待機する（ＳＡ５、Ｎｏ）。例えば、ＳＡ４で表示部１１に表示させた範囲選択画面において、特定の受信装置２０の個別アドレス、特定のグループアドレス、あるいは全ての受信装置２０が、操作部７１を介して告知放送の宛て先として選択された場合に、告知放送の宛て先とする範囲が入力されたと判定する。また、ＳＡ４において表示部１１に「放送開始」ボタンを表示させておき、操作部７１を介してこの「放送開始」ボタンが選択された場合に、告知放送を開始する旨の指示が入力されたと判定する。
【００３２】
また、ＳＡ２で選択された告知放送の種別が緊急放送である場合（ＳＡ３、緊急）、制御部７５は、告知放送の宛て先として全ての受信装置２０を選択する（ＳＡ６）。
【００３３】
また、ＳＡ２で選択された告知放送の種別がメンテナンス放送である場合（ＳＡ３、メンテナンス）、制御部７５は、告知放送の宛て先としてメンテナンスモード用のグループアドレスを選択する（ＳＡ７）。なお、このメンテナンス用グループアドレスは、一般放送や緊急放送をグループ単位の受信装置２０に放送するために送られるグループアドレスとは重複しないメンテナンス放送専用のグループアドレスであり、送信装置７０及び受信装置２０に予め記憶されている。このメンテナンス用グループアドレスは、送信装置７０でアドレスを変更操作することや、メンテナンス用グループアドレスを複数登録することができる。送信装置７０から変更や登録したメンテナンス用グループアドレスを受信装置２０に送って、更新することもできる。
【００３４】
ＳＡ５において、操作部７１を介して告知放送の宛て先とする範囲が入力されると共に、告知放送を開始する旨の指示が入力された場合（ＳＡ５、Ｙｅｓ）、又はＳＡ６若しくはＳＡ７の処理を行った後、信号生成部７５ａは放送開始データを生成し、当該生成した放送開始データを送信部７３から送信させる（ＳＡ８）。
【００３５】
例えばＳＡ２で選択された告知放送の種別が一般放送であった場合、信号生成部７５ａは、データ記録部７６に記録されている情報に基づき、一般放送の宛て先として選択された受信装置２０の個別アドレス又はグループアドレス、告知放送の種別が一般放送であることを示す種別コード、及びスタートコードを含む放送開始データを生成し、送信部７３から送信させる。
【００３６】
また、ＳＡ２で選択された告知放送の種別が緊急放送であった場合、信号生成部７５ａは、データ記録部７６に記録されている情報に基づき、緊急放送の宛て先が全ての受信装置２０であることを示すアドレス、告知放送の種別が緊急放送であることを示す種別コード、及びスタートコードを含む放送開始データを生成し、送信部７３から送信させる。なお、緊急放送の場合であっても、一般放送と同じように宛て先として選択された受信装置２０の個別アドレス、グループアドレスを指定して送信することもできる。
【００３７】
また、ＳＡ２で選択された告知放送の種別がメンテナンス放送であった場合、信号生成部７５ａは、データ記録部７６に記録されている情報に基づき、メンテナンスモード用のグループアドレス、告知放送の種別がメンテナンス放送であることを示す種別コード、及びスタートコードを含む放送開始データを生成し、送信部７３から送信させる。
【００３８】
ＳＡ８の処理の後、信号生成部７５ａは告知データを生成し、当該生成した告知データを送信部７３から送信させる（ＳＡ９）。
【００３９】
例えば、ＳＡ２で選択された告知放送の種別が一般放送や緊急放送であった場合、信号生成部７５ａは、マイク７２により音声入力の受付を開始させ、入力された音声に基づいて告知データを生成し、当該生成した告知データを送信部７３から送信させる。あるいは、操作部７１を介して選択された情報をデータ記録部７６から読み出し、当該情報に基づいて告知データを生成し、当該生成した告知データを送信部７３から送信させる。
【００４０】
また、ＳＡ２で選択された告知放送の種別がメンテナンス放送であった場合、信号生成部７５ａは、データ記録部７６からメンテナンス用の音声情報を読み出し、当該音声情報に基づいて告知データを生成し、当該生成した告知データを送信部７３から送信させる。
【００４１】
次に制御部７５は、操作部７１を介して告知放送を終了させる旨の指示が入力されたか否かを判定する（ＳＡ１０）。例えば、ＳＡ８で信号生成部７５ａが放送開始データを送信部７３から送信させる際に、制御部７５が表示部１１に「放送終了」ボタンを表示させておき、操作部７１を介してこの「放送終了」ボタンが選択された場合に、告知放送を終了させる旨の指示が入力されたと判定する。
【００４２】
その結果、操作部７１を介して告知放送を終了させる旨の指示が入力されていない場合（ＳＡ１０、Ｎｏ）、制御部７５はＳＡ９に戻る。以降、操作部７１を介して告知放送を終了させる旨の指示が入力されるまで、ＳＡ９及びＳＡ１０の処理を繰り返す。
【００４３】
一方、操作部７１を介して告知放送を終了させる旨の指示が入力された場合（ＳＡ１０、Ｙｅｓ）、信号生成部７５ａは、ストップコードを生成し、当該生成したストップコードを送信部７３から送信させる（ＳＡ１１）。その後、制御部７５は告知放送処理を終了する。
【００４４】
（処理−受信処理）
次に、受信処理について説明する。図６は、受信装置２０が実行する受信処理のフローチャートである。この受信処理は、例えば受信装置２０の電源が投入された場合に起動され、所定周期にて繰り返し実行される。
【００４５】
図６に示すように、受信処理が起動されると、制御部２９は、受信装置２０の受信モードがメンテナンスモードか否かを判定する（ＳＢ１）。例えば制御部２９は、受信装置２０のモードが通常受信モードであった場合において告知再生スイッチ２７ｂが所定時間（例えば５秒）以上長押しされ、当該告知再生スイッチ２７ｂによりメンテナンスモードの設定の入力が受け付けられた場合に、受信装置２０の受信モードがメンテナンスモードであると判定する。また、受信装置２０のモードがメンテナンスモードであった場合において、告知再生スイッチ２７ｂが押され、当該告知再生スイッチ２７ｂにより通常受信モードの設定の入力が受け付けられた場合には、受信装置２０の受信モードが通常受信モードであると判定する。
【００４６】
その結果、受信装置２０の受信モードがメンテナンスモードではない（すなわち、通常受信モードである）場合（ＳＢ１、Ｎｏ）、制御部２９は、受信部２１により放送開始データが受信されるまで待機する（ＳＢ２、Ｎｏ）。
【００４７】
そして、受信部２１により放送開始データが受信されると（ＳＢ２、Ｙｅｓ）、当該受信された放送開始データに含まれる個別アドレス又はグループアドレスに基づき、告知放送信号の宛て先に自己の受信装置２０が含まれているか否かを判定する（ＳＢ３）。例えば、放送開始データに含まれる個別アドレス又はグループアドレスが、受信装置２０のデータ記録部３０に予め記録されている個別アドレス又はグループアドレスと一致した場合に、告知放送信号の宛て先に自己の受信装置２０が含まれていると判定する。
【００４８】
その結果、告知放送信号の宛て先に自己の受信装置２０が含まれていない場合（ＳＢ３、Ｎｏ）、制御部２９はＳＢ２に戻る。以降、受信部２１により放送開始データが受信され（ＳＢ２、Ｙｅｓ）、告知放送信号の宛て先に自己の受信装置２０が含まれていると判定される（ＳＢ３、Ｙｅｓ）まで、ＳＢ２及びＳＢ３の処理を繰り返す。
【００４９】
一方、告知放送信号の宛て先に自己の受信装置２０が含まれている場合（ＳＢ３、Ｙｅｓ）、制御部２９は受信部２１により受信された放送開始データに含まれる種別コードに基づき、告知放送の種別（例えば、緊急放送又は一般放送のいずれか）を判定する（ＳＢ４）。
【００５０】
その結果、告知放送の種別が一般放送である場合（ＳＢ４、一般）、制御部２９は一般放送表示灯２８ｃを点灯させる（ＳＢ５）。
【００５１】
一方、告知放送の種別が緊急放送である場合（ＳＢ４、緊急）、制御部２９は緊急放送表示灯２８ｂを点灯させ（ＳＢ６）、音量調整部２４により音量を最大に設定させる（ＳＢ７）。
【００５２】
また、ＳＢ１において、受信装置２０の受信モードがメンテナンスモードである場合（ＳＢ１、Ｙｅｓ）、制御部２９は、受信部２１により放送開始データが受信されるまで待機する（ＳＢ８、Ｎｏ）。
【００５３】
そして、受信部２１により放送開始データが受信されると（ＳＢ８、Ｙｅｓ）、当該受信された放送開始データに含まれる個別アドレス又はグループアドレスに基づき、告知放送信号の宛て先に自己の受信装置２０が含まれているか否かを判定する（ＳＢ９）。例えば、放送開始データに含まれる個別アドレス又はグループアドレスが、受信装置２０のデータ記録部３０に予め記録されている個別アドレスやグループアドレスと一致した場合に、告知放送信号の宛て先に自己の受信装置２０が含まれていると判定する。
【００５４】
その結果、告知放送信号の宛て先に自己の受信装置２０が含まれている場合（ＳＢ９、Ｙｅｓ）、制御部２９は受信部２１により受信された放送開始データに含まれる種別コードに基づき、告知放送の種別（例えば、緊急放送又は一般放送のいずれか）を判定する（ＳＢ４）。
【００５５】
一方、告知放送信号の宛て先に自己の受信装置２０が含まれていない場合（ＳＢ９、Ｎｏ）、制御部２９は受信部２１により受信された告知放送信号にメンテナンスモード用のグループアドレスが含まれているか否かを判定する（ＳＢ１０）。
【００５６】
その結果、告知放送信号にメンテナンスモード用のグループアドレスが含まれていない場合（ＳＢ１０、Ｎｏ）、制御部２９はＳＢ８に戻る。以降、ＳＢ９において告知放送信号の宛て先に自己の受信装置２０が含まれているか（ＳＢ９、Ｙｅｓ）、又はＳＢ１０において告知放送信号にメンテナンスモード用のグループアドレスが含まれていると判定されるまで（ＳＢ１０、Ｙｅｓ）、制御部２９はＳＢ８からＳＢ１０の処理を繰り返す。
【００５７】
一方、告知放送信号にメンテナンスモード用のグループアドレスが含まれている場合（ＳＢ１０、Ｙｅｓ）、制御部２９は一般放送表示灯２８ｃを点滅させる（ＳＢ１１）。
【００５８】
ＳＢ５、ＳＢ７、又はＳＢ１１の処理の後、制御部２９は告知放送の音声出力を開始する（ＳＢ１２）。すなわち制御部２９は、告知放送信号に含まれる告知データを受信部２１により音声情報に復調させ、当該音声情報を音声切換え部２２、音量調整部２４、及びアンプ２５を介してスピーカ２６から出力させる。
【００５９】
続いて制御部２９は、受信部２１によりストップコードが受信されるまで待機する（ＳＢ１３、Ｎｏ）。受信部２１によりストップコードが受信された場合（ＳＢ１３、Ｙｅｓ）、制御部２９は告知放送の音声出力を停止する（ＳＢ１４）。この場合、制御部２９は緊急放送表示灯２８ｂ又は一般放送表示灯２８ｃを消灯させ、音量調整部２４により音量を設定されていた音量に戻す。その後、制御部２９は受信処理を終了する。
【００６０】
なお、受信装置２０の受信モードがメンテナンスモードで（ＳＢ１、Ｙｅｓ）、告知放送信号にメンテナンスモード用のグループアドレスが含まれていた場合において（ＳＢ１０、Ｙｅｓ）、ＳＢ１２でメンテナンスモード用のグループアドレスを含む告知放送信号による告知放送をスピーカ２６から出力させている間に、自己に設定されたグループアドレスに一致するグループアドレスを含む告知放送信号を受信部２１が受信した場合、制御部２９が、当該自己に設定されたグループアドレスに一致するグループアドレスを含む告知放送信号による告知放送を、メンテナンスモード用のグループアドレスを含む告知放送信号による告知放送よりも優先してスピーカ２６により出力させるようにしてもよい。
【００６１】
例えばＳＢ１２でメンテナンスモード用のグループアドレスを含む告知放送信号による告知放送をスピーカ２６から出力させている間、並行して制御部２９は受信部２１により新たに放送開始データが受信されるまで待機する。そして、受信部２１により新たに放送開始データが受信された場合、制御部２９は当該受信された放送開始データに含まれる個別アドレス又はグループアドレスに基づき、告知放送信号の宛て先に自己の受信装置２０が含まれているか否かを判定する。その結果、告知放送信号の宛て先に自己の受信装置２０が含まれている場合、制御部２９は、当該告知放送信号による告知放送を、メンテナンスモード用のグループアドレスを含む告知放送信号による告知放送に代えてスピーカ２６から出力させる。一方、告知放送信号の宛て先に自己の受信装置２０が含まれていない場合には、制御部２９は、メンテナンスモード用のグループアドレスを含む告知放送信号による告知放送の出力を継続させる。
【００６２】
（効果）
このように実施の形態によれば、送信装置７０は、告知放送信号に含まれるグループアドレスを変更することで、通常の告知放送信号又はメンテナンス用の告知放送信号のいずれかを送信する。そして、受信装置２０の制御部２９は、告知再生スイッチ２７ｂにより通常受信モードの設定の入力が受け付けられた場合には、受信部２１により受信された告知放送信号に含まれているグループアドレスと自己に設定されたグループアドレスとが一致する場合に、当該受信した告知放送信号による告知放送をスピーカ２６により出力させ、告知再生スイッチ２７ｂによりメンテナンスモードの設定の入力が受け付けられた場合には、受信部２１により受信された告知放送信号に含まれているグループアドレスと自己に設定されたグループアドレスとが一致するか、又は受信部２１により受信された告知放送信号にメンテナンスモード用のグループアドレスが含まれている場合に、当該受信した告知放送信号による告知放送をスピーカ２６により出力させる。これにより、メンテナンス専用の送信装置を設けることなく、受信装置２０が送信装置７０から伝送線路４２を介して告知放送を適切に受信可能か否かを確認することができ、告知放送システム１の設置コストの増大を防止することができる。
【００６３】
また、受信装置２０の制御部２９は、メンテナンスモード用のグループアドレスを含む告知放送信号による告知放送をスピーカ２６が出力している場合において、自己に設定されたグループアドレスに一致するグループアドレスを含む告知放送信号を受信部２１が受信した場合、当該自己に設定されたグループアドレスに一致するグループアドレスを含む告知放送信号による告知放送を、メンテナンスモード用のグループアドレスを含む告知放送信号による告知放送よりも優先してスピーカ２６により出力させるので、受信装置２０のメンテナンス中であっても緊急放送や一般放送等を優先的にスピーカ２６から出力させることができ、緊急放送や一般放送等の聞き逃しを防止することができる。
【００６４】
〔実施の形態に対する変形例〕
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【００６５】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００６６】
（告知放送処理について）
上述の実施の形態では、図４の告知放送処理において、信号生成部７５ａが、データ記録手段に記録されている告知放送用の情報に、区切り情報としてスタートコード及びストップコードの両方を付加する場合を例として説明したが、これらのスタートコード又はストップコードの一方を省略してもよい。なお、ストップコードの付加を省略した場合、図６の受信処理におけるＳＢ１３の処理を省略し、ＳＢ１２において告知放送の音声出力を開始してから一定時間が経過した場合、又は新たな放送開始データを受信した場合に、それまでの告知放送の音声出力を停止する（ＳＢ１４）。
【００６７】
また、図４の告知放送処理では、制御部７５は、告知放送の種別の選択を受け付けるための種別選択画面を表示部１１に表示させ（ＳＡ１）、操作部７１を介して選択された告知放送の種別が緊急放送、一般放送、又はメンテナンス放送のいずれであるかを判定する（ＳＡ３）と説明したが、これとは異なる方法により告知放送の種別の選択を受け付けてもよい。例えば、ネットワークを介して送信装置７０と接続された携帯型情報端末から、送信装置７０から送信させる告知放送の種別を選択できるようにしてもよい。これにより、受信装置２０のメンテナンスを行う作業者が、当該受信装置２０が設置されている住戸から、携帯型情報端末を用いて告知放送の種別としてメンテナンス放送を選択し、メンテナンスモード用のグループアドレスを含む告知放送信号を送信装置７０から送信させることが可能となる。
【符号の説明】
【００６８】
１  告知放送システム
１０  センターシステム
１１、２８  表示部
１２  ＢＧＭ源
２０  受信装置
２１  受信部
２２  音声切換え部
２３  音声記録部
２４  音量調整部
２５、４３  アンプ
２６  スピーカ
２７、７１  操作部
２７ａ  ＦＭ放送選択スイッチ
２７ｂ  告知再生スイッチ
２７ｃ  ボリュームスイッチ
２８ａ  電源表示灯
２８ｂ  緊急放送表示灯
２８ｃ  一般放送表示灯
２８ｄ  状態表示部
２９、７５  制御部
３０、７６  データ記録部
４０  伝送系統
４１  ヘッドエンド
４２  伝送線路
４４  分配増幅器
４６  分配器
４８  保安器
７０  送信装置
７２  マイク
７３  送信部
７５ａ  信号生成部
【図１】
0005806870.tif 000002
【図２】
0005806870.tif 000003
【図３】
0005806870.tif 000004
【図４】
0005806870.tif 000005
【図５】
0005806870.tif 000006
【図６】
0005806870.tif 000007